(57)【要約】【課題】多段型による組立て式の回転本棚自体を一体的に正逆どちらの方向にも回転変位の起動を得る。【解決手段】多重型の組立て式本棚１の側板２と仕切り板６とで形設し、仕切り板６の組み合わせで空隙部１３を形成し、空隙部１３にセンターシャフト２１を設け、センターシャフト２１を載置板１８や基盤４３に固定する。載置板１８や基盤４３に角型ベアリング回転盤２７を取り付け、正逆どちらの方向の回転でも停止する機能を有するストッパー部材３６を設ける。【選択図】図１
2016198463.tif 000002
【特許請求の範囲】
【請求項１】
多段型の組立て式本棚を側板の凹溝部と仕切り板の凹溝部に棚板を設け、仕切り板の縦型凹溝部に他の仕切り板を組み合わせて空隙部を形成し、多段型本棚の上部に天板を取付け、下部に地板を設け、当該地板の中央部にセンターシャフトが挿通する開口部を形成し、当該地板上に本棚を載置し、地板とセンターシャフトを形設する載置板との間に角型ベアリング回転盤を設けた、多段型の組立て式回転本棚。
【請求項２】
前記地板を円形状に形成し、当該地板の隙間に旋回停止機能を有するストッパー部材を設けた、請求項１記載の多段型の組立て式回転本棚。
【請求項３】
前記載置板の下部に基盤を設け、当該基盤の中央部にセンターシャフトを設け、基板の裏面外周にストッパー付きキャスターと当該キャスターの高さよりも低い補助脚体とを所定間隔をおいて設けた、請求項１、２記載の多段型の組立て式回転本棚。
【発明の詳細な説明】
【技術分野】
【０００１】  本発明は、多段型による組立て式本棚において、正逆どちらの方向にも回転可能であることを特徴とする多段型の組立て式回転本棚に関するものである。
【背景技術】
【０００２】  従来の多段型の組立て式本棚は、各階層を四つに区画し収容部を設けた本棚や陳列棚、収納棚などがあった。【０００３】  例えば、本立ての台板に円柱を設け、当該円柱と連結する四枚の中板で区画された収容部を有し、前記台板と脚盤の間にリング状のベアリング回転盤を設ける組立て式の回転本立てがあった（例えば、特許文献１参照）。【０００４】  本棚の台板上に設けた多段型の本棚を設け、当該本棚を構成する仕切り板で平面視まん字状形に区画される収容部を設け、台板にキャスターを取り付けた回転式本棚があった（例えば、特許文献２参照）。【０００５】  回転式の物品受け台において、水平方向に回転可能に配設される受け板上に、当該受け板の回転中心から略放射状に延長する複数の仕切り板を立設して、これら受け板と仕切り板とで区画される物品収納部を形成し、前記受け板の回転と共に回転変位する物品収納部に、物品の収納及び出し入れを行なえるようにしたものが提案されている（例えば、特許文献３参照）。【０００６】  多段型の回転式本棚において、上段、中段、下段の円形体の連結部に、単列深溝形ラジアル玉軸受又は単列アンギュラ形玉軸受を介して表側と裏側を回転させ、かつ中空内部の両側を木製又は合板で仕切り、中空部分の木製又は合板の取り外しが可能で、かつ両側面の溝に嵌合することを特徴とする回転式本棚が提案されている（例えば、特許文献４参照）。【０００７】  単行本や雑誌を収納するためのキャビネットにおいて、四方向に区画された収納部を設け、さらに、各面の収納部脇に、気に入った本の表紙が見えるように置ける収納部を設ける。上、中、下の三段に分かれた各収納部の接合部には、回転板を設置し、各段別々に水平方向に３６０度回転することができ、本の出し入れが容易で、かつ、底部には、スムーズな移動を可能とするためのキャスターが取り付けられたマガジンラックが提案されている（例えば、特許文献５参照）。【０００８】  回転台を一時的に阻止するために、回転台の外周面に係止部材の受け部を所定位置に設け、受け部の凹部に係止部材の爪片を係止する取付け部材を設けたものがある（例えば、特許文献６参照）。【０００９】  収納棚の側板に水平方向に凹溝を形成し、当該凹溝に棚板を具備するものがある（例えば、特許文献７参照）。【００１０】
【先行技術文献】
【特許文献】
【００１１】
【特許文献１】  実公昭３０−１１０９号公報  １頁  図２
【特許文献２】  実開平３−９４１３５号公報  ２頁  図１、図２
【特許文献３】  特開昭５５−１６３０１１号公報  １頁  図１、図２
【特許文献４】  実開平２−１２４０３９号公報  ２頁  図１、図２、図３
【特許文献５】  登録意匠第１１８３３１１号公報
【特許文献６】  実公平２−７２８６号公報  １頁  図１
【特許文献７】  特開２０１０−７０９５４号公報  ２頁  図１
【発明の概要】
【発明が解決しようとする課題】
【００１２】  以上に述べた従来の組立て式の回転本棚では、多段型による組立て式回転本棚自体を一体的に回転変位できない問題点があった。【００１３】  本発明は、従来の組立て式回転本棚が有する問題点を解消しようとするものであって、多段型の組立て式本棚の収納物と対向する面を一目で、所望する収納物の選択を容易にした、多段型の組立て式回転本棚の実現を目的とするものである。
【課題を解決するための手段】
【００１４】  本発明は、従来の組立て式の回転本棚において、前記の課題を解決するために、多段型の組立て式本棚を一体的に正逆どちらの方向にも回転可能とする角型ベアリング回転盤を具備することを特徴とした。【００１５】    ［第１実施例］
実施例１は多段型の組立て式本棚で構成される本棚であって、当該本棚は長方形状に形成される側板と当該側板よりも幅広の仕切り板とが組み合わされたものである。【００１６】  前記本棚１を構成する側板は長方形状に形成される４枚の側板であって、当該側板の平面視内側面において短辺の長手方向に所定間隔をおいて複数の凹溝部を穿設する。なお、側板と組み合わせる４枚の仕切り板は、当該仕切り板の平面視外側面において、右側辺寄りの長手方向に縦型凹溝部を穿設し、さらに、側板の所定間隔と同一間隔による仕切り板の短辺長手方向に複数の凹溝部を穿設する。【００１７】  前記側板の平面視左側面の一端に仕切り板の平面視外側面の左側面の一端をビスで取り付け、さらに、仕切り板の縦型凹溝部に他の仕切り板の平面視右側辺の一端を差込み嵌め合せて四つに区画される多段型組立て式による階層を構成する。【００１８】  前記の側板と仕切り板とに形成される各凹溝部に、方形状の棚板をそれぞれ差し込んで複数の収容部を構成する。【００１９】  本棚の上部に設ける天板は略方形状に形成し内面中央部にナットを埋設する。なお、当該本棚の下部に設ける地板は、略方形状に形成し内面中央部に開口部を形成し、本棚の下部側辺と下部短辺の仕切り板の下部短辺とにビスで固定し本棚を構成する。【００２０】    前記地板の裏面中央部と本棚を載置する円形状の載置板の表面中央部との間に角型ベアリング回転盤を配設する。なお、前記載置板の裏面中央部に逆凹溝状の窪み形成し、当該窪みの中心部に棒状のセンターシャフトを挿通し、当該センターシャフトの下部に設けた雄ねじを形成し、当該雄ねじに座金を介し締めナットで締め固着する。また、前記ナットの緩みやセンターシャフトの離脱を阻止するため、当該ナットとセンターシャフトに割りピンを挿通し固定する。【００２１】  角型ベアリング回転盤の上部角形フランジを地板の裏面中央部に配設し、上部角形フランジの隅角に穿孔された小孔にビスで取り付け、下部角形フランジを載置板の表面中央部にビスで固定する。下部角形フランジを載置板の表面中央部に配設し、下部角形フランジの隅角に穿孔された小孔にビスで取り付ける。下部角形フランジを載置板上に設置することによって、上部角形フランジが回転変位し地板に取り付けられた本棚を回転させることができる。【００２２】  前記載置板に固定されたセンターシャフトは、前記本棚を構成する側板と仕切り板とで構成された空隙部を挿通し、本棚の上方に突出するセンターシャフトの上部雄ねじに天板に埋設されたナットで締めて天板を固着することを特徴とする、多段型の組立て式回転本棚である。【００２３】    ［第２実施例］
実施例２は、多段型の組立て式回転本棚において、本棚を載せる円形状の地板を形成し、当該地板の表面に旋回停止機能を有するストッパー部材を設ける。【００２４】  なお、当該ストッパー部材が接する載置板は、地板よりも肉厚で略同一形状による外周を形成する。当該ストッパー部材は略Ｔ字状に形成し、コック状の操作部の下方に成形するねじ棒の下部端にゴムキャップを被覆する。ストッパー部材をねじ込むと、ねじ棒の下部端に設けるゴムキャップで載置板を押圧し、地板の回転を停止させることが可能となる。したがって、正逆どちらかに回転変位することを停止可能にすることを特徴とする、多段型の組立て式回転本棚である。【００２５】    ［第３実施例］
実施例３は、多段型の組立て式回転本棚において、センターシャフトを形設する基板は載置板の外周と略同一形状に成形し、当該基板にセンターシャフトを挿通し、基板裏面の周縁に３個のストッパー付きキャスターと当該キャスターの高さよりも低い３個の補助脚体を等間隔で配設する。【００２６】  本棚１の地板と略同一の外周で肉厚の載置板をビスで固定し、載置板の裏面に角型ベアリング回転盤の上部角形フランジを設け、下部角形フランジを基盤の表面中央部に設け、当該基盤に逆凹溝状の窪みを形成し、当該窪みの中心部に棒状のセンターシャフトを挿通し、当該センターシャフトの下部に設けた雄ねじに座金を介し締めナットで固定する。また、前記ナットの緩みやセンターシャフトの離脱を阻止するため、当該ナットとセンターシャフトに割りピンを挿通し固定することを特徴とする、多段型の組立て式回転本棚である。
【発明の効果】
【００２７】  本発明は、多段型による組立て式本棚において、正逆どちらの方向にも回転可能であることを特徴とするものであって、実施例１による本発明では、本棚を側板と仕切りとの組み合わせで容易に本棚を容易に構成し、角型ベアリング回転盤を具備することで、多段型の組立て式本棚を一体的に正逆どちらの方向にも回転変位させることができる。【００２８】  実施例２による本発明は、多段型の組立て式回転本棚において、本棚を載せる円形状の地板に旋回停止機能を有するストッパー部材を設けると、正逆どちらの回転変位も停止することができる有用な効果が得られる。【００２９】  実施例３による効果は、本発明に係る載置板と基盤の間に角型ベアリング回転盤を設けると、基盤の裏面にストッパー付きキャスターと補助脚体を設けることで、本棚の容易な移行や地震などの災害にも転倒し難いなどの有用な効果が得られる。
【図面の簡単な説明】
【００３０】
【図１】本発明に係る組立て式回転本棚の基本構造を示す側面図である。
【図２】本発明に係る本棚の側板を示す側面図である。
【図３】本発明に係る仕切り板を示す側面図である。
【図４】本発明に係る本棚の組み立て状態を示す平面図である。
【図５】角型ベアリング回転盤の断面図である。
【図６】本発明に係る本棚の天板を示す断面図である。
【図７】旋回停止機能を有するストッパー部材を示す断面図である。
【図８】ストッパー部材の取付け状態を示す一部省略した側面図である。
【図９】本発明に係る第３実施例の要部を示す側面図である。
【図１０】本発明に係る基盤の裏面を示す底面図である。
【発明を実施するための形態】
【００３１】  本発明は、多段型による組立て式の回転本棚自体を一体的に回転変位することを可能にしたものである。
【００３２】    ［第１実施例］
実施例１は、多段型の組立て式回転本棚を構成する本棚１であって、当該本棚１は、長方形状に形成する側板２と当該側板２よりも幅広く形成される仕切り板６とを組み合わせたものである。
【００３３】  前記本棚１を構成する側板２は、長方形状に形成される４枚の側板２であって、当該側板２の平面視内側面４において、短辺の長手方向に所定間隔による複数の凹溝部５を穿設する。なお、側板２と組み合わせる４枚の仕切り板６は、当該仕切り板６の平面視外側面７において、右側辺寄りの長手方向に縦型凹溝部９を穿設し、さらに、側板２の所定間隔と同一間隔で仕切り板の短辺の長手方向に複数の凹溝部１０を穿設する。
【００３４】  前記側板２の平面視左側面４の一端に仕切り板６の平面視外側面７の左側面の一端をビス１１で取り付け、さらに、仕切り板６の縦型凹溝部９に他の仕切り板６の平面視右側辺の一端を差し込み嵌め合せて、４つに区画される多段型の組立て式に階層を構成する。
【００３５】  前記の側板２と仕切り板６とに形成される各凹溝部５、１０に、方形状の棚板１１をそれぞれ差し込むと複数の収容部１２と空隙部１３とが構成される。
【００３６】  本棚の上部に設ける天板１４は略方形状に形成し、当該天板１４の内面中央部にナット１５を埋設し、本棚１の下部に設ける地板１６は略方形状に形成する。当該地板１６の中央部に開口部１７を形成し、当該地板１６の外周縁に本棚１の側板２と仕切り板６との下部端をビスで固定する。
【００３７】  本棚１を載置する載置板１８は肉厚材で円形状に形成する。当該載置板１８と地板１６との間に角型ベアリング回転盤２７を配設する。なお、載置板１８の裏面中央部に逆凹溝状の窪み１９を形成し、当該窪み１９の中心部に棒状のセンターシャフト２１を挿通し、当該センターシャフト２１の下部に成形される雄ねじ２３に座金２４を介して締めナット２５で固着する。また、前記ナット２５の緩みやセンターシャフト２１の離脱を阻止するため、当該ナット２５とセンターシャフト２１に割りピン２６を挿通し固定する。
【００３８】  角型ベアリング回転盤２７の上部角形フランジ２９を地板１６の裏面にビスで取り付けて、下部角形フランジ３２を載置板１８の表面中央部にビスで固定する。下部角形フランジ３２を載置板１８の表面に載置すると上部角形フランジ２９が回転し、地板１６上の本棚１を回転させることができる。
【００３９】  前記載置板１８に固定されたセンターシャフト２１は、前記本棚１を構成する側板２と仕切り板６とで構成された空隙部１３に挿通し、本棚１の上方に突出するセンターシャフト２１の上部雄ねじ２２に天板１４に埋設されたナット１５で締め、天板１４を固着されることを特徴とする、多段型の組立て式回転本棚である。
【００４０】    ［第２実施例］
実施例２は、多段型の組立て式回転本棚において、本棚１を載せる円形状の地板１６を形成し、当該地板１６の表面に旋回停止機能を有するストッパー部材３６を設ける。
【００４１】  なお、当該ストッパー部材３６が接する載置板３５は、地板１６よりも略同一形状による外周を形成する。前記ストッパー部材３６は略Ｔ字状に形成し、コック上の操作部３７の下方に成形したねじ棒３８の下部端にゴムキャップ３９を被覆する。ストッパー部材３６をねじ込むと、ねじ棒３８の下部端に設けたゴムキャップ３９で載置板３５を押圧し、地板１６の回転を停止させることを可能にしたものであって、正逆どちらの回転変位も停止することが可能であることを特徴とする、多段型の組立て式回転本棚である。
【００４２】    ［第３実施例］
実施例３は、多段型の組立て式回転棚において、複数のストッパー付きキャスター４０と当該キャスター４０の高さよりも低い複数の補助脚体４２を設ける基盤４３を形成する。当該基盤４３は円形状に形成し、基盤４３裏面の周縁に前記キャスター４０と補助脚体４２を等間隔に配設する。
【００４３】  本棚１の地板１６に載置板４１をビスで固定し、載置板４１の裏面に角型ベアリング回転盤２７の上部角形フランジ２９を設け、下部角形フランジ３２を基盤４３の表面に設け、当該基盤４３に逆凹溝状の窪み１９を形成し、当該窪み１９の中心部に棒状のセンターシャフト２１を挿通し、当該センターシャフト２１の下部に設けた雄ねじ２３を形成し、当該雄ねじ２３に座金２４を介してナット２５で締めて固定する。また、前記ナット２５の緩みやセンターシャフト２１の離脱を阻止するため、当該ナット２５とセンターシャフト２１に割りピン２６を挿通し固定することを特徴とする、多段型の組立て式回転本棚である。
【符号の説明】
【００４４】  １  本棚
２  側板
５  凹溝部
６  仕切り板
９  縦型の凹溝部
１０  凹溝部
１１  棚板
１２  収容部
１３  空隙部
１４  天板
１５  ナット
１６  地板
１８  載置板
１９  窪み
２１  センターシャフト
２４  座金
２５  ナット
２６  割りピン
２７  角型ベアリング回転盤
２８  球
２９  上部角形フランジ
３１  半球形状の保持器
３２  下部角形フランジ
３４  半球形状の保持器
３５  載置板
３６  ストッパー部材
３７  操作部
３８  ねじ棒
３９  ゴムキャップ
４０  ストッパー付きキャスター
４１  載置板
４２  補助脚体
４３  基盤
【図１】
2016198463.tif 000003
【図２】
2016198463.tif 000004
【図３】
2016198463.tif 000005
【図４】
2016198463.tif 000006
【図５】
2016198463.tif 000007
【図６】
2016198463.tif 000008
【図７】
2016198463.tif 000009
【図８】
2016198463.tif 000010
【図９】
2016198463.tif 000011
【図１０】
2016198463.tif 000012